(57)【要約】  【課題】随伴用自動車の無駄な帰社時間を無くし、事故の減少、燃料の削減、ＣＯ２を削減し、地域や地球環境を改善する。  【解決手段】本社と代理店と運転代行会社との間をコンピュータネットワークで接続し、運転代行会社と随伴用自動車間の情報交換を無線機又は携帯電話で行う。本社と代理店のコンピュータはＧＰＳ機能付きナビゲーションを備え、随伴用自動車の現在位置を表示できる。顧客から本社に運転代行の依頼があると、本社は代理店に運転代行の指示を出し、運転代行の指示を受けた代理店は、各随伴用自動車の現在位置情報に基づいて地理的に最適な運転代行会社に配車要請し、その要請を受けた運転代行会社は待機している地理的に最適な随伴用自動車の運転スタッフに無線機又は携帯電話で連絡する。運転代行を実行し、目的地に到達して運転代行を完了した随伴用自動車はその目的地近くで待機し、運転代行会社からの次の連絡を待つ。【選択図】  図１
2010092414.tif 000002
【特許請求の範囲】
【請求項１】
運転代行業務を扱う本社と、本社と運転代行業務に関し代理店契約をしている代理店と、代理店に所属し、ＧＰＳ機能付き随伴用自動車とこれを運転するスタッフを備えた複数の運転代行会社とから成り、前記本社と代理店と運転代行会社との間をコンピュータネットワークで接続し、運転代行会社と随伴用自動車間の情報交換を無線機又は携帯電話で行うようにし、前記本社と代理店のコンピュータはＧＰＳ機能付きナビゲーションシステムを備え、随伴用自動車の現在位置を表示できるようにし、顧客から本社に運転代行の依頼があると、本社は代理店に運転代行の指示を出し、運転代行の指示を受けた代理店は、各随伴用自動車の現在位置情報に基づいて地理的に最適な運転代行会社に配車要請し、その要請を受けた運転代行会社は待機している地理的に最適な随伴用自動車の運転スタッフに無線機又は携帯電話で連絡して、その随伴用自動車を使用して顧客に対して運転代行を実行し、目的地に到達して運転代行を完了した随伴用自動車はその目的地近くで待機し、運転代行会社からの次の連絡を待つようにしたことを特徴とする運転代行システム。
【発明の詳細な説明】
【技術分野】
【０００１】
本発明は、本発明は、本社、代理店、各運転代行会社の連係によって随伴用自動車の無駄な帰社時間を無くすことができるようにした運転代行システムに関する。
【背景技術】
【０００２】
従来の運転代行では、各運転代行会社が自社ごとに顧客やお店から運転代行の依頼を受ける。その際、スタッフ２人で随伴用自動車にのって依頼先へ行き、顧客の車を運転し、目的地まで行く。このとき、随伴用自動車も一緒に後からついていき、役務終了後、２人は随伴用自動車で会社又は待機場所に帰っていた。
【発明の開示】
【発明が解決しようとする課題】
【０００３】
しかし、この方法では、役務終了後、会社又は待機場所まで帰るのに往路と同じくらい時間がかかり、時間の無駄になる。また、燃料代も２倍になり、且つ事故の確率も高くなり、ＣＯ２も２倍近く排出するため、地域や地球環境に悪影響を及ぼすという問題点がある。
本発明は、上記問題点を解決することを目的とするものである。
【課題を解決するための手段】
【０００４】
上記目的を達成するため本発明は、運転代行業務を扱う本社と、本社と運転代行業務に関し代理店契約をしている代理店と、代理店に所属し、ＧＰＳ機能付き随伴用自動車とこれを運転するスタッフを備えた複数の運転代行会社とから成り、前記本社と代理店と運転代行会社との間をコンピュータネットワークで接続し、運転代行会社と随伴用自動車間の情報交換を無線機又は携帯電話で行うようにし、前記本社と代理店のコンピュータはＧＰＳ機能付きナビゲーションシステムを備え、随伴用自動車の現在位置を表示できるようにし、顧客から本社に運転代行の依頼があると、本社は代理店に運転代行の指示を出し、運転代行の指示を受けた代理店は、各随伴用自動車の現在位置情報に基づいて地理的に最適な運転代行会社に配車要請し、その要請を受けた運転代行会社は待機している地理的に最適な随伴用自動車の運転スタッフに無線機又は携帯電話で連絡して、その随伴用自動車を使用して顧客に対して運転代行を実行し、目的地に到達して運転代行を完了した随伴用自動車はその目的地近くで待機し、運転代行会社からの次の連絡を待つようにしたものである。
【発明の効果】
【０００５】
本発明は、随伴用自動車を役務終了後、近くで待機させることにより、無駄な帰社時間を無くすことができる。それに伴い、事故の減少、燃料の削減、ＣＯ２削減を実現することができ、地域や地球環境の改善に貢献することができる。
【発明を実施するための最良の形態】
【０００６】
以下に、本発明の実施の形態を添付した図面を参照して詳細に説明する。
図１は本発明に係る運転代行システムのブロック説明図を示している。本システムは、図１に示すように、システムの中枢機関である本社１と、本社１と運転代行業務に関し、代理店契約を結んでいる都道府県単位あるいは、より細分化された地域ごとに配置された代理店２と、各代理店２と業務提携を結んでいる運転代行会社３とから構成されている。
【０００７】
本社１と代理店２との間では、本社１から代理店２に運転代行業務上の指示が出され、これに対して代理店２からこの指示に対応する報告が本社１に送られる。
【０００８】
代理店２と各運転代行会社３との間では、代理店２から運転代行業務に関する要請が特定の運転代行会社３に出され、運転代行会社３からは、要請のあった代理店２に報告が送られる。各運転代行会社３は、ＧＰＳ（全地球測位システム）機能付きの随伴用自動車４を保有している。
【０００９】
本社１と代理店２との間は、本社１のホストコンピュータ５と、代理店２のコンピュータ６とを介してネットワーク１３で結ばれ、相互にコンピュータによって情報のやりとりを行うことができるようになっている。本社ホストコンピュータ５と代理店コンピュータ６は、それぞれＧＰＳ機能付きナビゲーションシステム７を備えている。
【００１０】
本社ホストコンピュータ５には、運転代行処理用プログラムが格納され、該プログラムによって、ディスプレイの表示欄１５に、登録欄、地図、年月日欄、受付時間欄、受付担当者欄、予約時間欄、予約場所欄、予約台数欄、顧客名欄、車体ナンバー欄、目的地欄、経由地欄、距離数欄、代理店名欄、受理者名欄が表示され、表示欄１６に、料金額欄、代行会社名欄、運転手名欄、終了時間欄等が表示されるように設定されている。
【００１１】
代理店コンピュータ６にも同様に、運転代行処理用プログラムが格納され、該プログラムによって、ディスプレイの表示欄１７に、地図、年月日欄、受付時間欄、受付担当者欄、予約時間欄、予約場所欄、予約台数欄、顧客名欄、車体ナンバー欄、目的地欄、経由地欄、距離数欄、運転代行会社名欄、受理者名欄が表示され、表示欄１８に、料金額欄、運転手名欄、終了時間欄等が表示されるように設定されている。
【００１２】
各代理店２と、各代理店２と、各代理店２が担当する運転代行会社３との間は、コンピュータ６，８を介して、ネットワーク１３で結ばれ、相互に情報のやりとりを行うことができるようになっている。
【００１３】
運転代行会社３のコンピュータ８にも、運転代行処理用プログラムが格納され、該プログラムによって、ディスプレイの表示欄１９に、年月日欄、受付時間欄、受付担当者欄、予約時間欄、予約場所欄、予約台数欄、顧客名欄、車体ナンバー欄、目的地欄、経由地欄、距離数欄、運転手名欄が表示され、表示欄２０に料金額欄、終了時間欄等が表示されるように設定されている。
【００１４】
各運転代行会社３の保有する随伴用自動車４には、看板灯９が設置され、車体の側部に随伴用自動車であることあるいは宣伝などを表示するステッカー１０が貼り付けられている。
【００１５】
上記した構成において、本社１は、ホストコンピュータ５を通じて、代理店コンピュータ６と、運転代行会社コンピュータ８との間で、配車時間、配車場所、目的地、料金等のデータの送受信を行う。更に、本社ホストコンピュータ５と代理店コンピュータ６は、それぞれに格納されたＧＰＳ機能付きナビゲーションシステム７により、各随伴用自動車４の現在位置情報を受信し、各随伴用自動車４の現在位置をディスプレイの地図上に示すことができる。
【００１６】
図１において、予め登録されている即ちメンバーの資格を有する顧客あるいはお店１１から、本社１に代行依頼があると、本社１は、地域単位で配備されている代理店２の中、地理的に最適の代理店２を選択し、この代理店２のコンピュータ６にホストコンピュータ５を通じて指示を出す。
【００１７】
指定された代理店２は、担当する各運転代行会社３の中、地理的に最適の運転代行会社３を選択し、この運転代行会社３にコンピュータを通じて運転代行を要請する。要請を受けた運転代行会社３は、所有する随伴用自動車４に、無線機あるいは携帯電話を通じて、配車要請を行う。
【００１８】
配車要請を受けた随伴用自動車４のスタッフは、代行依頼主である顧客あるいはお店のもとに移動し、運転を代行して、顧客を目的地１２まで送る。このとき、顧客の車に随伴用自動車４がついていく。目的地に到着したところで、随伴用自動車４は、近くで待機し、待機モード１４となる。運転手は、無線機、携帯電話等で、所属する運転代行会社３に運転代行業務完了を報告する。
【００１９】
この報告を受けた運転代行会社３は、同様の報告を所属する代理店２にコンピュータを通じて報告する。代理店２もこの報告を受けて、本社１にコンピュータを通じて代行完了の報告を行う。これら本社１，代理店２，各運転代行会社３間の情報のやりとりは、全てコンピュータネットワーク１３を通じて行われる。
【００２０】
本社１及び代理店２は、常に、随伴用自動車４の現在位置をモニターし、運転代行の依頼を受けると、本社１は、地理的に最適な代理店２を選択し、指定された代理店２は、地理的に最適な運転代行会社を選択する。随伴用自動車４は、目的地に到着後、料金を回収した後、近くの交通に支障のきたさない場所で待機し、所属する運転代行会社３からの次の配車要請の指示を待つ。
【図面の簡単な説明】
【００２１】
【図１】本発明のブロック説明図である。
【図２】本発明の説明図である。
【図３】随伴用自動車の説明図である。
【符号の説明】
【００２２】
１        本社  
２        代理店
３        運転代行会社
４        随伴用自動車
５        ホストコンピュータ
６        コンピュータ
７        ＧＰＳ機能付きナビゲーションシステム
８        コンピュータ
９        看板灯
１０      ステッカー
１１      顧客
１２      目的地
１３      ネットワーク
１４        待機
１５〜２０  表示欄      
【図１】
2010092414.tif 000003
【図２】
2010092414.tif 000004
【図３】
2010092414.tif 000005